(57)【要約】
【課題】  使用者が片手で簡単に身につけることのできる装飾的な腕時計やブレスレットなどの装飾腕輪を提供する。
【解決手段】  腕時計などの装飾腕輪は、装飾的ハウジング１０と、閉じた状態へ付勢されているが、腕時計などの取り付け・取り外しをするために開放状態に動かすことのできる対向する弾性アームバンド１４，１６とからなる。望ましい実施例に於いて、ハウジング１０は、動物またはキャラクターの外肢として形成された対向する複数対のアームバンド１４，１６と共に、動物またはキャラクターの形状とされている。従って、本考案による腕時計は身に付けるのが楽しく、ファッショナブルであり、かつ使用者が片手だけを使って自分の手首に簡単に係合することができる。
【選択図】  図１
0003100768.tif 000002
【実用新案登録請求の範囲】
【請求項１】
動物またはキャラクターの形状をした本体と、
動物またはキャラクターの外肢と同様の形状をしており、かつ前記本体から伸長する少なくとも２対のアームバンドとからなり、該アームバンドは対向しており、そのうちの少なくとも一方は可撓性があり、かつ使用者の手首周りに係合する係合状態へ付勢されており、係合状態と開放状態の間で動くことのできるものであり、
使用者がアームバンドを開放状態に動かすと、装飾腕輪が使用者の手首に係合したり、使用者の手首から外したりすることのできる
手首装着用の装飾腕輪。
【請求項２】
使用者の手首上の少なくとも一側にあるアームバンドは弾性材の芯からなる、請求項１記載の装飾腕輪。
【請求項３】
２対のアームバンドは可撓性があり、かつ閉じた状態へ付勢されている、請求項１または２記載の装飾腕輪。
【請求項４】
２対のアームバンドは弾性部材からなり、かつ閉じた状態へ付勢されている、請求項１乃至３のいずれかに記載の装飾腕輪。
【請求項５】
本体の各側部から伸長する複数のアームバンドからなり、すべてのアームバンドは弾性部材からなり、かつ閉じた状態へ付勢されている、請求項１乃至４のいずれかに記載の装飾腕輪。
【請求項６】
本体は成型されている、請求項１乃至５記載の装飾腕輪。
【請求項７】
弾性部材は一体芯挿入材の一部として形成され、アームバンドは芯挿入材を芯にして成型されて本体と一体化されている、請求項６記載の装飾腕輪。
【請求項８】
腕時計用のハウジングであり、本体は計時器を装着するためのものである、請求項１乃至７のいずれかに記載の装飾腕輪。
【請求項９】
本体に装着された計時器を備えた、請求項１乃至８のいずれかに記載の装飾腕輪。
【請求項１０】
ブレスレットである、請求項１乃至７のいずれかに記載の装飾腕輪。
【考案の詳細な説明】
【技術分野】
【０００１】
本考案は、使用者の手首を把持するアームバンド付き装飾的ハウジングを有する腕時計やブレスレットなどの装飾腕輪に関するものである。
【背景技術】
【０００２】
腕時計は社会のあらゆる階層で使用されている。成人にとっては、使用者が正確な時間を確かめることができるようにするのが腕時計の主要な機能であるが、多くの場合、腕時計は装飾品としても機能している。
【０００３】
特に、子供は、腕時計を、大抵の場合、ファッション上の理由から選ぶ。ある場合には、子供は主としてファッション品として、腕時計を身につけるが、正確な時間を直ぐに知ることができるという利便性は二次的なものであるか、関係ないかのどちらかである。また、子供達は、特定の腕時計に人気があるという理由でそれを好みがちであるが、同時に一寸目立つ物を身に付けることができることを喜ぶものである。ブレスレットも同じ理由でファッショナブルであり得る。
【０００４】
親は、自分の子供が日時を知るのに他人を当てにしなくても自分で時間が分かることを知って、大抵の場合、安心する。これはある程度、子供の責任感の表れである。更に年端の行かない子供の場合でも、早いうちから子供に腕時計やブレスレット等の代替品を付けさせる習慣をつけることが有益であると考えることもできる。従って、ファッショナブルで、身に付けるのが楽しみであり、また自分だけの独得の物を「見せびらかす」という大抵の子供が持っている願望を満足させるような或る程度目立つ腕時計やブレスレットを与えるのが有益である。
【０００５】
更に、腕時計は片手で付けなればならない。従来の腕時計は留め金を片手で操作するには難しい場合があった。特に手先の器用さが十分に発達していない子供にとってはそうである。従って、親が子供を宥めて腕時計をいつも付けさせようと望んでも、子供の片手だけでは留め金を上手く扱えないので、腕時計を身に付けることができないか、そうするのが難しいので、フラストレーションを感じて、腕時計を付けるのを止めてしまおうとする場合がある。
【０００６】
従って、子供が片手で付け易い腕時計を提供するのは更に有益である。
【特許文献１】特開平８−１３１２２３号公報
【考案の開示】
【考案が解決しようとする課題】
【０００７】
本考案が提供するのは、使用者が片手で簡単に付けることができ、かつ数多くの異なるスタイルがテーマ別コレクションの一部となるように貢献する装飾的な腕時計やブレスレット等である。本考案は、子供が身に付け易いファッショナブルな装飾品であると同時に、異なる使用者が異なるバリエーションを持った腕時計やブレスレット等を所有することができ、しかもそのすべてがテーマとしてコレクションの対象となるものである。
【０００８】
本考案は、装飾的ハウジングと、対向する弾性アームバンドとからなる腕時計やブレスレットなどの腕輪を提供することにより上記目的を達成するものであって、前記アームバンドは閉じた状態へ付勢されており、使用者の手首に腕時計等を付けたり、腕時計等を取り外すために開放状態にこじ開けることのできるものである。
【０００９】
望ましい実施例に於いて、本考案のハウジングは対向する複数対の弾性アームバンドを備えている。このハウジングは実際の、または想像上の動物またはキャラクターの形状となされており、そして前記対向する複数対のアームバンドは動物またはキャラクターの外肢として形成されている。このように、本考案による腕時計等は「コレクションできる」アイテム、即ち腕時計等のコレクションの一部としてのマーケティングに特に適している。それらは一群の動物および／またはキャラクター、例えば、漫画または劇画のキャラクターの一部として製作される。一方、実質的に無限の形状とスタイルを提供することで使用者が種々のバリエーションのある腕時計やブレスレットなどを収集し、身に付けることができる。
【考案の効果】
【００１０】
従って、本考案による腕時計やブレスレット等は身に付けるのが楽しく、ファッショナブルで、かつ使用者が片手だけを使って手首に簡単に装着することができる。
【課題を解決するための手段】
【００１１】
このように、本考案は、本体と、該本体から離れて伸長する少なくとも２個の対向状態にあるアームバンドとからなる、手首に付ける装飾腕輪を提供するものである。アームバンドのうちの少なくとも１個は可撓性があり、アームバンドが使用者の手首周りに係合する係合状態へ付勢されており、かつ係合状態と開放状態の間で動くことができる。それによって、使用者がアームバンドを開放状態に動かすと、装飾的アイテムを使用者の手首に係合するか、または使用者の手首から外すことができる。
【００１２】
本考案の諸実施態様について述べると、本体は動物またはキャラクターの形状をしている。アームバンドは動物またはキャラクターの外肢のような形状をしている。この装飾腕輪は最初の一対のアームバンドとこれと対向する二番目の一対のアームバンドからなっている。ここで、使用者の手首の少なくとも一側のアームバンドは芯となる弾性材からなっている。両アームバンドは弾性があり、かつ閉じた状態へ付勢されている。二対の両アームバンドは弾性があり、かつ閉じた状態へ付勢されている。この装飾腕輪は本体の各側部から伸長する複数のアームバンドからなっている。ここで、アームバンドはすべて弾性部材からなり、かつ閉じた状態へ付勢されている。本体は成型されている。および／または弾性部材は一体の芯挿入材の一部として形成され、アームバンドは芯挿入材を芯として本体と一体に成型されている。
【００１３】
本考案の諸実施態様について更に述べると、本装飾腕輪は腕時計のハウジングであって、ここで本体は計時器を装着するためのものである。この装飾腕輪は本体に装着された計時器を備えている。あるいは、装飾腕輪はブレスレットである。
【考案を実施するための最良の形態】
【００１４】
本考案の腕時計の一実施例が図１に図示されている。図１の実施例は、本考案により製造することのできる実質的に無限のバリエーションのある腕時計の形状および／またはスタイルのうちのほんの一例に過ぎない。
【００１５】
腕時計は、ハウジング１０にはめ込まれた計時器２からなるものであり、このハウジング１０は、望ましい実施例では、現実または想像上の、例えば、人気のある漫画のキャラクターである動物またはキャラクターの形状とほぼ同様に形成された本体１２からなっている。図１で例示のためにのみ図示された本体１２は、恐竜の身体の形状をしている。ハウジング１０の本体１２は、ゴム，プラスチック，シリコンまたは他の適切な材料から、例えば成型により形成することができ、可撓性があっても剛性であっても良く、かつ所望の顔料，ペンキその他で着色してその外観の本物らしさを増すことができる。あるいは、本体１２は、任意の入手可能な生地で作られ、本体１２を所望の形状に維持するために通常の方法で詰め物されたぬいぐるみとして形成することもできる。
【００１６】
計時器２は、ハウジング１０を使用者の手首に係合した際に、使用者が見ることができるのに便利な状態に埋め込む（成型された本体１２の場合）か、縫い込む（ぬいぐるみの本体１２の場合）ことができる。図１に例示された計時器２は、従来のデジタル式電子計時器であるが、所望の計時器をハウジング１０に装着するか、取り付けることもできる。本考案は、時計ハウジング１０に関連づけて特定型式の計時器２に限定することを意図するものではない。
【００１７】
本体１２から突出しているのは、対向するアームバンド１４，１６である。図示した実施例では、各腕時計は、一対のアームバンド１４と一対のアームバンド１６とを備えているが、単一のアームバンド１４と単一の対向するアームバンド１６も、本考案の原理に従い効果的に作用し、腕時計は対向する複数対のアームバンド１４，１６が使用される場合のように、必ずしも取り外し難くなる訳ではない。更に、動物もしくはキャラクター（例えば、８本の足がある蜘蛛）のデザインに適応させたり、使用者の手首から時計を取り外す際の抵抗を高めたりするために、任意の数の追加的アームバンド１４および／または１６を追加して備えることができる。別の実施例では、アームバンド１４，１６を非常に幅広にすることができる。例えば鳥の翼（図示せず）または魚の鰭（図示せず）である。こうした場合には、単一のアームバンド１４と単一のアームバンド１６が望ましく、かつ安定的でもある。
【００１８】
アームバンド１４、１６は、閉じた状態へ付勢されており、永久的でも選択的であってもよい。例えば、各アームバンド１４，１６は、例えばバネはがねからなる芯であるバネ部材２０からなっており、このバネ・はがねは図１の実線で示した把持状態に形成され、従って永久的に付勢されている。バネ部材２０の曲がり（変形）に対する抵抗性は、選択の問題であるが、腕時計を使用者の手首にしっかりと保持して不意に外れないようにするのが望ましい一方、同時にアームバンド１４，１６は十分簡単に曲がるようにし、子供が腕時計を速やかに身に付けたり、外したりするために、手首から離すようにバンド１４および／または１６をこじ開けることができなければならない。
【００１９】
アームバンド１４、１６は剛性であっても良く、しかも本体１２に回動自在に装着して、バネその他の弾性要素によって係合状態即ち把持状態へ付勢されるようにしても良い。あるいは、アームバンド１４、１６は、可撓性（弾性）であっても良く、しかも使用者の手首から外れないようにするに十分な抵抗力によって、その形状を保持する材料、またはこれを芯とする材料で形成することができる。それぞれの場合に於いて、アームバンド１４または１６の少なくとも１個は可撓性（弾性）があり、閉じた状態へ付勢されている。
【００２０】
アームバンド１４，１６は、本体１２とは別に成型し、製造した後で本体１２に取り付けることもできるが、望ましい実施例では、アームバンド１４，１６のそれぞれを形成するバネ芯２０からなる挿入材１８が図２に見られるように単一のユニットとして形成されている。バネ芯２０間の連結には、計時器２用の支え板２２を使用することができ、支え板２２は、例えばリム（開口部）を備えており、そこに計時器２が外れないようにカチッと装着される。
【００２１】
本体１２を成型する場合には、各バネ芯２０（または、すべてのバネ芯２０から形成した挿入材１８）を本体１２と一体に成型するのが望ましく、しかも尖った端部を隠すために成型材料の中に完全に埋設するのが望ましい。図１に図示した実施例では、ゴム製の本体１２は、複数対のアームバンド１４，１６と一体に成型される。バネ芯２０と支え板２２からなっている挿入材１８は、成型（例えば、射出成型）工程中にゴムにより完全に取り囲まれるように通常の方法で金型の中に配置される。ゴムは可撓性（弾性）があるので、バネ芯２０の弾性をさほど妨げるものでもなく、使用者が腕時計の取り付け・取り外しのためにバンド１４および／または１６をこじ開けることができるのをさほど妨げるものでもない。
【００２２】
アームバンド１４，１６用のバネ芯２０が支え板２２と共に単一片の挿入材を形成している本実施例は、本考案による腕時計のぬいぐるみ版用にも特に適している。挿入材１８を所望の位置に型押し（あるいは切り出し）、押圧（あるいは形成）すると、バネ芯２０の方向、従ってアームバンド１４，１６の方向は、支え板２２により固定されるので、本体１２の材質や構造的強度の補強用の充填材の材質によって左右されることはない。更に、支え板２２は計時器２を装着するための固い面を提供する。
【００２３】
本考案の成型体を製造するためには、支え板２２と、これから突出するアームバンド１４，１６のそれぞれを形成するバネ芯２０とからなる芯挿入材１８を金型（図示せず）内に設置し、通常の方法による適切なスペーサー（図示せず）によって金型内の所定位置に固定される。充填片は、計時器が装着されるべき場所に配置され、計時器２が後に装着されるスペースに成型材料が充填されないようにする。プラスチック、ゴムその他の適切な成型材料は金型内に射出され、芯挿入材１８を閉じ込める。このようにして作られたハウジング１０は金型から取り外され、計時器２は支え板２２に装着される。
【００２４】
この実施例では、計時器２のサイズより僅かに小さくて、弾性成型材料が弾性により計時器２を完成品の所定状態に保持することができるように、計時器２が装着される開口部を形成するのが有益である。成型材料に弾性がない場合、計時器２が外れないように係止するためには他の手段（例えば、接着剤または機械的構造）が必要とされることがある。      
【００２５】
使用に当たっては、使用者は、複数対のアームバンド１４，１６のうちの一つの先端に自分の手首を置き、他の対のアームバンド１６または１４をこじ開け、手首を複数対のアームバンド１４，１６の先端の間にちゃんと合わせるようにする。使用者がアームバンド１４，１６を緩めると、弾性バネ芯２０は把持状態までアームバンド１４，１６を引き戻し、腕時計を使用者の手首に係合する。
【００２６】
例えば、「スラップ式腕輪」と同じ要領で開放状態でロックできるようにバネ芯２０を形成することができることが理解されよう。これは、バネ芯２０が長手方向に曲がる前に伸びなければならない僅かに横方向の湾曲を有するように各バネ２０を形成することにより達成することができる。長手方向に真っ直ぐの状態にバネ芯２０をこじ開けると横方向の湾曲が再び設定され、バネ芯２０を長手方向に真っ直ぐな状態にロックする。こうすることで使用者は開放状態にアームバンド１４，１６をこじ開け、それから手首に「腕時計」を「スラップする（パチンとはめ込む）」ことができる。本体１２が使用者の手首に接触する際に急に停止する開口したアームバンドの動きは横方向の湾曲が硬くなる効果に耐え、バネ芯２０が係合状態に戻り、使用者の手首を把持することができるようにする。
【００２７】
また、本体１２の一側にのみあるアームバンド１４か１６が弾性または可撓性がある場合でも本考案の原理が当てはまることも理解されよう。この場合、本体の他側のアームバンド、例えばアームバンド１６は、固定され、剛性であっても良いが、アームバンド１４は閉じた状態へ付勢されており、開放状態にこじ開けることができる状態にある。アームバンド１４，１６の間に十分な間隔があれば、使用者が自分の手首を挿し入れることができる。
【００２８】
本考案の様々な実施例を例示により詳細に説明したが、本考案から逸脱しなければ、さらに変形と変更を行なうことができることは当業者には明白であろう。本考案は添付した請求項の範囲に該当するこうした変形と変更のすべてを含むものである。
【図面の簡単な説明】
【００２９】
【図１】本考案による時計の第一の実施例の斜視図である。
【図２−Ａ】図１の時計の側面断面図である。
【図２−Ｂ】図２-Ａで表した挿入材の断面端面図である。
【図３−Ａ】図１の時計の異なるバリエーションの斜視図であり、時計ハウジング用の動物および／またはキャラクターの制限のない様々な形状を表す。
【図３−Ｂ】図１の時計の異なるバリエーションの斜視図であり、時計ハウジング用の動物および／またはキャラクターの制限のない様々な形状を表す。
【図３−Ｃ】図１の時計の異なるバリエーションの斜視図であり、時計ハウジング用の動物および／またはキャラクターの制限のない様々な形状を表す。
【図３−Ｄ】図１の時計の異なるバリエーションの斜視図であり、時計ハウジング用の動物および／またはキャラクターの制限のない様々な形状を表す。
【図３−Ｅ】図１の時計の異なるバリエーションの斜視図であり、時計ハウジング用の動物および／またはキャラクターの制限のない様々な形状を表す。
【図４】本考案によるブレスレットの斜視図である。
【符号の説明】
【００３０】
１０    ハウジング
１２    本体
１４，１６  アームバンド
【図１】
0003100768.tif 000003
【図２−Ａ】
0003100768.tif 000004
【図２−Ｂ】
0003100768.tif 000005
【図３−Ａ】
0003100768.tif 000006
【図３−Ｂ】
0003100768.tif 000007
【図３−Ｃ】
0003100768.tif 000008
【図３−Ｄ】
0003100768.tif 000009
【図３−Ｅ】
0003100768.tif 000010
【図４】
0003100768.tif 000011